(57)【要約】【課題】筆記、作図又は描画用具の筐体とキャップの間における確実な固定が保証されると共に、取り扱いも容易なキャップ部材。【解決手段】キャップスリーブ部材と留めリング部材とを有する、筆記、作図又は描画用具のためのキャップ部材において、前記留めリング部材（４２）は、前記キャップスリーブ部材（１０）内に別体の部材として配されること、及び筆記、作図又は描画用具の筐体（３２）にキャップ部材を外嵌し、次いで該キャップ部材と該筐体との間において軸線の周りで相対的に回転することにより、該筐体上での該キャップ部材の軸線方向における不動的固定が形成されるよう、前記キャップスリーブ部材（１０）の内周面並びに前記留めリング部材（４２）の外周面及び内周面が構成されることを特徴とする。【選択図】図１０
2005502513.tif 000002
【特許請求の範囲】
【請求項１】
キャップスリーブ部材と留めリング部材とを有する、筆記、作図又は描画用具のためのキャップ部材において、
前記留めリング部材（４２）は、前記キャップスリーブ部材（１０）内に別体の部材として配されること、及び
筆記、作図又は描画用具の筐体（３２）にキャップ部材を外嵌し、次いで該キャップ部材と該筐体との間において軸線の周りで相対的に回転することにより、該筐体上での該キャップ部材の軸線方向における不動的固定が形成されるよう、前記キャップスリーブ部材（１０）の内周面並びに前記留めリング部材（４２）の外周面及び内周面が構成されること
を特徴とするキャップ部材。
【請求項２】
前記留めリング部材（４２）の内周面は、前記筐体（３２）への前記キャップ部材の外嵌によって、該留めリング部材（４２）と前記筐体（３２）との間の摩擦結合ないし形状結合が形成されるように構成されること
を特徴とする請求項１に記載のキャップ部材。
【請求項３】
前記キャップスリーブ部材（１０）の内周面及び前記留めリング部材（４２）の外周面は、前記筆記、作図又は描画用具の筐体（３２）にキャップ部材を外嵌し、次いで該キャップ部材と該筐体との間で軸線の周りで相対的に回転することにより、該キャップスリーブ部材と該留めリング部材との間に摩擦結合が形成されるように構成されること
を特徴とする請求項２に記載のキャップ部材。
【請求項４】
前記留めリング部材（４２）の外周面に、周面に沿って半径方向に徐々に肥厚化する少なくとも１つの楔面（４４、４６、４８）が形成され、及び前記キャップスリーブ部材（１０）の内周面に、該楔面（４４、４６、４８）と同様に構成される同じ数の対向楔面（１８、２０、２２）が形成されること
を特徴とする請求項３に記載のキャップ部材。
【請求項５】
前記キャップスリーブ部材（１０）への前記留めリング部材（４２）の挿入により互いに向かい合う前記楔面（４４、４６、４８）と前記対向楔面（１８、２０、２２）の両傾斜勾配はそれぞれ等しいこと
を特徴とする請求項４に記載のキャップ部材。
【請求項６】
前記筐体（３２）に気密的に外嵌可能に構成されること
を特徴とする請求項１〜５の何れか一項に記載のキャップ部材。
【発明の詳細な説明】
【技術分野】
【０００１】
本発明は、キャップスリーブ部材と留めリング部材とを有する、筆記、作図（製図）又は描画用具のためのキャップ部材に関する。
【背景技術】
【０００２】
とりわけ万年筆等の取外し可能なキャップを有する筆記用具の多くは、ネジ回して着脱可能なキャップを有する。このようなキャップは、筆記用具の筐体とキャップとの間の確実な固定を保証するが、逆にそのような作業は非常に面倒であり、従って筆記用具を素早く使用可能な状態にすることはできない。
【０００３】
【特許文献１】
ＤＥ−Ｕ １ ８０２ １２１
【発明の開示】
【発明が解決しようとする課題】
【０００４】
上記特許文献１により本願請求項１の上位概念に対応するキャップが公知であり、留めリングは、筆記用具の筐体に配設され、スナップ係合（Schnappverbindung）を生成する。しかしながら、スナップ係合の場合、該係合にゆがみが生じると、キャップから筆記用具の筐体が滑り落ちたり逆にキャップが筐体から滑り落ちたりするような危険がある。
【０００５】
それゆえ、本発明の課題は、この種のキャップを、筆記、作図又は描画用具の筐体とキャップの間における確実な固定が保証されると共に、取り扱いも容易であるように発展させることである。
【課題を解決するための手段】
【０００６】
上記の課題を解決するために、本発明の一視点により、キャップスリーブ部材と留めリング部材とを有する、筆記、作図又は描画用具のためのキャップ部材を提供する。このキャップ部材において、前記留めリング部材は、前記キャップスリーブ部材内に別体の部材として配されること、及び筆記、作図又は描画用具の筐体にキャップ部材を外嵌し、次いで該キャップ部材と該筐体との間において軸線の周りで相対的に回転することにより、該筐体上での該キャップ部材の軸線方向における不動的固定が形成されるよう、前記キャップスリーブ部材の内周面並びに前記留めリング部材の外周面及び内周面が構成されることを特徴とする（形態１・基本構成）。
【発明を実施するための最良の形態】
【０００７】
上記のキャップ部材においては、筆記用具等の筐体にキャップ部材を外嵌することにより、留めリング部材と筐体との間に摩擦結合（部材間の摩擦による係合による結合）又は形状結合（例えば形状間の蟻継ぎ状の係合による結合）が形成されるよう留めリング部材の内周面を構成することが、とりわけ可能である。
【０００８】
更に、筆記、作図又は描画用具の筐体にキャップ部材を外嵌し、次いでキャップ部材と筐体との間で軸線周りでの相対的な回転を行うことにより、キャップスリーブ部材と留めリング部材との間に摩擦結合が形成されるよう、キャップスリーブ部材の内周面と留めリング部材の外周面を構成することも可能である。
【０００９】
本発明の有利な一実施形態では、留めリング部材の外周面に、周面に沿って（周方向に）半径方向に徐々に肥厚化（厚肉化）する少なくとも１つの楔面が形成され、及び前記キャップスリーブ部材の内周面に、該楔面と同様に構成される（対応する）同じ数の対向楔面が形成される。
【００１０】
キャップスリーブ部材への留めリング部材の挿入により互いに向かい合う楔面と対向楔面の双方の傾斜勾配（ないし互いに向かい合う各地点間の厚み：Steigung）はそれぞれ等しいと好都合である。
【００１１】
更に、キャップ部材は、（筆記用具等の）筐体に気密的に外嵌可能なように構成することができる。
【００１２】
本発明は、キャップ部材の回転によりその機能を奏する留めリングにより、簡単な態様で、（キャップ部材と筐体との）確実な固定ないし固着（グリップ作用）が形成可能とされるという優れた発想に基づく。キャップ部材は、通常の方法で外嵌する（嵌め込む）ことができ、僅かに回転する（＜１２０°）だけで固定することができる。別体の（分離した）留めリング部材により、差し込み継ぎ手の場合ように、半径方向における（差し込み突起の差込口の）探索は不要となる。
【００１３】
更に、キャップ部材を製造する際に、螺合のためのネジの場合に必要とされるような、ネジミゾないしねじ山の形成も不要となる。
【００１４】
本発明の更なる特徴及び利点は、従属請求項及び以下の記載から明らかとなる。なお、従属請求項に対応する本発明の好ましい実施の形態を示すと、
（２）上記のキャップ部材において、前記留めリング部材の内周面は、前記筐体への前記キャップ部材の外嵌によって、該留めリング部材と前記筐体との間の摩擦結合（摩擦力による結合：Kraftschluss）ないし形状結合（形状輪郭と形状輪郭によるありつぎ的結合：Formschluss）が形成されるように構成されることが好ましい（形態２）。
（３）上記のキャップ部材において、前記キャップスリーブ部材の内周面及び前記留めリング部材の外周面は、前記筆記、作図又は描画用具の筐体にキャップ部材を外嵌し、次いで該キャップ部材と該筐体との間で軸線の周りで相対的に回転することにより、該キャップスリーブ部材と該留めリング部材との間に摩擦結合が形成されるように構成されることが好ましい（形態３）。
（４）上記のキャップ部材において、前記留めリング部材の外周面に、周面に沿って半径方向に徐々に肥厚化する少なくとも１つの楔面が形成され、及び前記キャップスリーブ部材の内周面に、該楔面と同様に構成される（対応する）同じ数の対向楔面が形成されることが好ましい（形態４）。
（５）上記のキャップ部材において、前記キャップスリーブ部材への前記留めリング部材の挿入により互いに向かい合う前記楔面と前記対向楔面の両傾斜勾配（ないし厚み）はそれぞれ等しいことが好ましい（形態５）。
（６）上記のキャップ部材において、前記筐体に気密的に外嵌可能に構成されることが好ましい（形態６）。
【００１５】
以下に、本発明の実施例を図面を参照して詳細に説明する。
【実施例】
【００１６】
図１に、開放端１２と、閉鎖端（不図示）を有するキャップスリーブ部材１０示した。キャップスリーブ部材１０は、開放端１２を起点とし内径ｄ１を有する第１部分１４と、周方向に沿って（周面に沿って）半径方向に徐々に厚みが増す（肥厚化ないし肉厚化する）よう構成される３つの対向楔面を有する第２部分１６（図１の状態では、２つの対向楔面１８及び２０のみ視認可能である）と、内径ｄ２を有する第３部分２３（ｄ２＜ｄ１）と、内径ｄ４を有する第４部分２６（ｄ４＜ｄ３）とを含んで構成される。このため、半径方向内方へ突出する段差部２８及び３０が形成される。段差部３０は、留めリング部材（不図示）のための当接面として利用される。
【００１７】
図２に示したように、対向楔面１８、２０及び２２は、何れも凡そ１２０°（中心角）に亘って延在する。
【００１８】
図３に、例えば万年筆等の筆記用具の筐体（シャフト部材ないし本体部分）３２を示した。筐体３２は、円錐台部分４０及び段差部３９によって互いに結合され外径が互いに異なる２つの円筒状部分３６及び３８を有する筐体先端部３４を有する。
【００１９】
図４に、留めリング部材４２の斜視図を示した。留めリング部材４２は、その長手方向の所定の部分範囲に亘って、その外周面において周方向に沿って半径方向に徐々に厚みが増す（肥厚化ないし肉厚化する）よう構成されかつ対向楔面１８、２０及び２２に相応して構成される楔面４４、４６及び４８を有することが明確に見出すことができる。３つの楔面４４、４６及び４８の各々の間には、スリット５０、５２及び５４が形成される。
【００２０】
留めリング部材４２は、（軸方向にみて）３つの部分５６、５８及び６０に区分することができる。第１部分５６には、楔面４４、４６及び４８が形成される。第２部分５８には、周方向に沿って所定の部分範囲に亘ってのみ延在する突出部６２、６４及び６６（これらは図６にも示した）が形成される。第３の部分６０は、第１、第２部分５６及び５８の有効外径よりも小さい一定の外径を有する。
【００２１】
図５に、図４の矢印Ａの方向に観察した留めリング部材４２を示した。スリット５０、５２及び５４は、何れも、凡そ１０°（中心角）の角度範囲に亘って延在する。
【００２２】
図７に、図６の直線VII−VIIの関し矢印の方向に観察した留めリング部材４２の断面を示した。
【００２３】
図８に、図３の筐体３２であってキャップ部材６８が固定されたものの長手方向の断面の一例を示した。この断面（の密な斜線で示した部分）は、図７の断面に対応する。キャップ部材６８は、キャップスリーブ部材１０と該キャップスリーブ部材１０とは別体の留めリング部材４２とを含んで構成される。留めリング部材４２は、筐体３２と摩擦結合（摩擦力による係合による結合）した状態にある。更に、筐体３２の段差部３９が、留めリング部材４２の内側の段差部７０と当接している様子を見出すことができる。留めリング部材４２の第３部分６０は、キャップスリーブ部材１０の段差部３０（図１参照）と当接する。
【００２４】
図９に、図３の筐体３２であってキャップ部材６８が固定された状態の長手方向のさらに他の断面を示した。図８に示した断面は、（その切断面が）突出部６４内をその軸線方向に延在するよう形成されているのに対し、図９の断面は、（その切断面が）スリット５０、５２及び５２の何れか１つ内をその軸線方向に延在するように形成されている。
【００２５】
図１０は、図８の直線X−X２関し矢印の方向に観察した断面図である。図１０から、留めリング部材４２の３つの対向楔面１８、２０及び２２と、キャップスリーブ部材１０の対応する楔面４４、４６及び４８の存在を明確に見出すことができる。留めリング部材４２をキャップスリーブ部材１０に対し相対的に回転することにより、留めリング部材の内径は縮小される（留めリング部材がすぼむ）。このため、挟掴作用が生じて、キャップ部材６８は筐体３２に軸線方向に関し固定（固着）される。この場合、留めリング部材の回転は、筐体３２との摩擦結合が引き起こされる。キャップ部材６８は、通常の方法で、（筐体３２に）外嵌する（嵌めて冠せる）ことができ、僅かに回転する（＜１２０°）だけで固定することができる。
【００２６】
上記記載及び特許請求の範囲に開示された本発明の特徴は、単独でも任意の組合せにおいても、本発明をその種々の実施態様に関し具体化するために本質的構成をなし得る。
【図面の簡単な説明】
【００２７】
【図１】本発明の一実施例のキャップ部材のキャップスリーブ部材の長手方向断面図。
【図２】図１の直線II−IIに関し矢印の方向に観察した断面図。
【図３】筆記用具の一例の筐体の側面図。
【図４】キャップ部材の留めリング部材の一例の斜視図。
【図５】図４において矢印Ａの方向に観察した留めリング部材。
【図６】図４において矢印Ｂの方向に観察した留めリング部材。
【図７】図６の直線VII−VIIに関し矢印の方向に観察した断面図。
【図８】キャップ部材が固定された状態の図３の筐体の長手方向断面の一例。
【図９】キャップ部材が固定された状態の図３の筐体の長手方向断面の他の一例。
【図１０】図８の直線X−X２関し矢印の方法に観察した断面図。
【符号の説明】
【００２８】
１０  キャップスリーブ部材
１８、２０、２２  対向楔面
３２  筐体
４２  留めリング部材
４４、４６、４８  楔面
【国際公開パンフレット】
2005502513.tif 000003
2005502513.tif 000004
2005502513.tif 000005
2005502513.tif 000006
2005502513.tif 000007
2005502513.tif 000008
2005502513.tif 000009
2005502513.tif 000010
2005502513.tif 000011
2005502513.tif 000012
2005502513.tif 000013
2005502513.tif 000014
2005502513.tif 000015
【国際調査報告】
2005502513.tif 000016
2005502513.tif 000017
2005502513.tif 000018
2005502513.tif 000019